(57)【要約】  陽極、イオン交換膜、ガス拡散電極を配置した陰極室を有するガス拡散電極装着イオン交換膜電解槽において、前記陰極室の背面板とガス拡散電極の電解面の反対側に形成した陰極ガス室に、前記ガス拡散電極と前記背面板の間に通気性の弾性部材が配置され、前記弾性部材は前記背面板に接合した、表面に耐食性導電層を形成した複数個の通電部材の前記耐食性導電層と接触して前記ガス拡散電極と前記背面板との間の導電接続を形成したことを特徴とするガス拡散電極装着イオン交換膜電解槽。
2010137284.tif 000002
【特許請求の範囲】
【請求項１】
陽極、イオン交換膜、ガス拡散電極を配置した陰極室を有するガス拡散電極装着イオン交換膜電解槽において、前記陰極室の背面板とガス拡散電極の電解面の反対側に形成した陰極ガス室に、前記ガス拡散電極と前記背面板の間に通気性の弾性部材が配置され、前記弾性部材は前記背面板に接合した、表面に耐食性導電層を形成した複数個の通電部材の前記耐食性導電層と接触して前記ガス拡散電極と前記背面板との間の導電接続を形成したことを特徴とするガス拡散電極装着イオン交換膜電解槽。
【請求項２】
前記通電部材は、ニッケルまたはニッケル合金製の箔または板に、銀または白金族金属を含む耐食性導電層を有することを特徴とする請求項１記載のガス拡散電極装着イオン交換膜電解槽。
【請求項３】
前記通電部材は、銀または白金族金属を含む耐食性導電層が、めっき、クラッド，あるいは焼き付け被覆によって一体化されたものであることを特徴とする請求項１または２記載のガス拡散電極装着イオン交換膜電解槽。
【請求項４】
前記通電部材は、前記背面板に一部または全部が接合されていることを特徴とする請求項１から３のいずれか１項記載のガス拡散電極装着イオン交換膜電解槽。
【請求項５】
前記弾性部材が導電接触面または全面に耐食性導電層を形成したことを特徴とする請求項１から４のいずれか１項に記載のガス拡散電極装着イオン交換膜電解槽。
【発明の詳細な説明】
【技術分野】
【０００１】
本発明は、食塩水等のアルカリ金属塩化物水溶液の電気分解等に使用されるガス拡散電極装着イオン交換膜電解槽に関するものであり、特に二室法ガス拡散電極装着イオン交換膜電解槽に好適なものである。
【背景技術】
【０００２】
ガス拡散電極を設けたガス拡散電極装着イオン交換膜電解槽は、ガス拡散電極において外部から取り入れた気体と反応させることによって電気分解電圧を減少させる手段として利用されている。
ガス拡散電極を陰極に使用したアルカリ金属塩化物水溶液のガス拡散電極装着イオン交換膜電解槽では、陽極室には塩化アルカリ水溶液を供給し、陽極において塩素ガスを生成している。一方、陰極室には酸素含有気体を供給し、ガス拡散電極において酸素を還元すると共にアルカリ金属水酸化物水溶液を生成する。【０００３】
ガス拡散電極は、イオン交換膜に均一に密着した状態を維持しなければ電解液がガス拡散電極の全面に対して流れるようにすることができず、ガス拡散電極の電解面に対して均一に電流を流すことができなくなる。
そこで、ガス拡散電極の背面の陰極室との背面板との間に通気性を有する弾性部材を配置し、ガス拡散電極をイオン交換膜に密着させると共に、陰極室の背面板からガス拡散電極への通電を確保したイオン交換膜電解槽が提案されている。
また、陰極室内には、アルカリ金属水酸化物水溶液と酸素が存在しているので、陰極室の内壁面は、酸化性環境が形成されるので、陰極室内の構成部材には、ニッケル、ニッケル合金等が用いられているが、このような環境下では、ニッケル、ニッケル合金は、表面に酸化によって不動態被膜が形成される。
ニッケル、ニッケル合金に形成された不動態被膜によって金属の腐食の進行は防止可能であるものの、不動態被膜によって陰極室の背面板から弾性部材との接触によって通電されているガス拡散電極への通電回路には、大きな通電抵抗が生じることとなる。
そこで、不動態被膜による導電性の低下を防止するために、陰極室の背面板および弾性部材に銀めっきを施して通電抵抗の上昇を防止することが提案されている（例えば、特許文献１参照）。
【先行技術文献】
【特許文献】
【０００４】
【特許文献１】特開２００６−３２２０１８号公報
【発明の概要】
【発明が解決しようとする課題】
【０００５】
ガス拡散電極装着イオン交換膜電解槽において、陰極室の背面板、弾性部材等の構成部材の表面に銀めっきを施すことで導電性の低下を防止し、通電抵抗の上昇を防止することは、電解槽電圧の上昇を防止するうえで効果的な手段であるものの、電気分解を長期間継続していると、電解槽電圧の上昇を避けることができなかった。
本発明は、ガス拡散電極装着イオン交換膜電解槽において、陰極室内でのガス拡散電極から陰極室の背面板への通電回路における通電抵抗の上昇による電解槽電圧の上昇を防止して長期にわたり、ガス拡散電極装着イオン交換膜電解槽の特徴である低い電解槽電圧による運転が可能なガス拡散電極装着イオン交換膜電解槽を提供することを課題とするものである。
【課題を解決するための手段】
【０００６】
本発明は、陽極、イオン交換膜、ガス拡散電極を配置した陰極室を有するガス拡散電極装着イオン交換膜電解槽において、前記陰極室の背面板とガス拡散電極の電解面の反対側に形成した陰極ガス室に、前記ガス拡散電極と前記背面板の間に通気性の弾性部材が配置され、前記弾性部材は前記背面板に接合した、表面に耐食性導電層を形成した複数個の通電部材の前記耐食性導電層と接触して前記ガス拡散電極と前記背面板との間の導電接続を形成したガス拡散電極装着イオン交換膜電解槽である。
また、前記通電部材は、ニッケルまたはニッケル合金製の箔または板に、銀または白金族金属を含む耐食性導電層を有する前記のガス拡散電極装着イオン交換膜電解槽である。
また、前記通電部材は、銀または白金族金属を含む耐食性導電層が、めっき、クラッド，あるいは焼き付け被覆によって一体化されたものである前記ガス拡散電極装着イオン交換膜電解槽である。
また、前記通電部材は、前記背面板に一部または全部が接合されている前記のガス拡散電極装着イオン交換膜電解槽である。
前記弾性部材が導電接触面または全面に耐食性導電層を形成したガス拡散電極装着イオン交換膜電解槽である。
【発明の効果】
【０００７】
本発明のガス拡散電極装着イオン交換膜電解槽は、ガス拡散電極に通電する弾性部材と陰極室の背面板とが接触する面には、表面に耐食性導電層を形成した複数個の通電部材を配置して通電したので、ガス拡散電極に通電する弾性部材との接触部の特性が安定しており、長期にわたり電解槽電圧が低く安定したガス拡散電極装着イオン交換膜電解槽を提供することができる。
【図面の簡単な説明】
【０００８】
【図１】図１は、本発明のガス拡散電極装着イオン交換膜電解槽の実施態様を説明する図であり、断面図である。
【図２】図２は、本発明のガス拡散電極装着イオン交換膜電解槽の実施態様を説明する図であり、分解斜視図である。
【図３】図３は、本発明のガス拡散電極装着イオン交換膜電解槽の実施態様を説明する図であり、通電部材を説明する図である。図３Ａは、比較的面積が大きな通電部材を背面板に装着したものである。図３Ｂは、図３Ａに示したものに比べて面積が小さな通電部材板を背面板に多数装着したものである。
【図４】図４は、本発明のガス拡散電極装着イオン交換膜電解槽の実施例、比較例を説明する図である。
【図５】図５は、本発明のガス拡散電極装着イオン交換膜電解槽の実施例を説明する図である。
【発明を実施するための形態】
【０００９】
ガス拡散電極装着イオン交換膜電解槽の陰極室の背面板の導電接触面に形成した導電性に優れた銀等の被覆層の部分的な剥離は、めっき等によって形成された被覆層には膜厚等にむらが生じているために、電気化学的な特性が異なる部位が生じることが原因であることを見出したものである。
すなわち、陰極室の背面板は、陰極室枠体によって四方を囲まれているためにめっき槽内でめっき液の流れにむらが生じる等の現象が避けられず、その結果、膜厚をはじめとした特性が異なる部位が形成されるために電気分解を続けると背面板からの剥離等の問題が生じるものと考えられる。
【００１０】
そこで、本発明は、背面板に導電層を直接めっきした際に生じる問題点を、表面に銀、白金族金属等の耐食性導電層をめっき等によって形成した平板状の金属箔、金属板からなる通電部材の複数個を背面板に接合することにより、弾性部材との接触部の特性を均一なものとし、これによって、弾性部材と接触する耐食性導電層の剥離等の現象を防止することが可能であることを見出したものである。
【００１１】
以下、本発明の実施の形態を図面を参照して説明する。
図１は、本発明のガス拡散電極装着イオン交換膜電解槽の実施態様を説明する図であり、断面図である。
単一の陽極室と単一の陰極室をイオン交換膜を介して積層した食塩水の電気分解に使用するガス拡散電極装着イオン交換膜電解槽を例に挙げて説明する。
図１は、ガス拡散電極装着イオン交換膜電解槽を電極面に垂直な面で切断した断面図である。
ガス拡散電極装着イオン交換膜電解槽１は、イオン交換膜１０により陽極室２０と陰極室３０に区画されたものであり、二室法ガス拡散電極装着電解槽と称されているものである。
陽極室２０には、陽極２１１が設けられており、内部には陽極液２１３として食塩水が充填されており、陽極室２０下部には陽極液入口２１５が設けられている。
また、陽極室上部には電気分解によって濃度が低下した陽極液及び気体出口２１７が設けられており、陽極室枠体２１９は陽極室側ガスケット２２１を介してイオン交換膜１０と積層されている。
【００１２】
一方、イオン交換膜１０の陽極室２０とは反対側の面には、陰極室３０が設けられており、陰極室内にはガス拡散電極３１３が設けられている。
ガス拡散電極３１３を含む陰極室内部空間３０１と、イオン交換膜１０との間には、液体保持部材３１１が配置されている。
【００１３】
また、ガス拡散電極３１３は、液体保持部材３１１に面する側の反対面には、線材等で作製した内部に気体が通過する空間を設けた弾性部材３３０が配置されている。
弾性部材３３０は、ガス拡散電極３１３、液体保持部材３１１をイオン交換膜１０側に密着して、陰極室内に陰極ガス室３１７を形成し、陰極室３０の背面板３２７に接合した，表面に耐食性導電層を形成した複数個の通電部材３４０の耐食性導電層３４１と接触してガス拡散電極３１３と背面板３２７との間に通電回路を形成している。
【００１４】
本発明のガス拡散電極装着イオン交換膜電解槽１の陽極室２０にアルカリ金属塩化物水溶液を供給し、陰極室３０の陰極ガス室３１７に、酸素入口３１９から酸素含有気体を供給しながら陽極２１１とガス拡散電極３１３間に通電すると、ガス拡散電極３１３では液体保持部材３１１側からアルカリ金属水酸化物水溶液の水分が供給され、また反対面の陰極ガス室３１７側からは酸素含有気体が供給されてガス拡散電極３１３内においてアルカリ金属水酸化物水溶液の生成反応が進行する。
生成したアルカリ金属水酸化物水溶液は濃度勾配によって液体保持部材３１１へ移行して吸収、保持されるとともに、液体保持部材３１１内部やガス拡散電極３１３のガス室側を流下して陰極ガス室出口３２１から排出される。
【００１５】
陰極ガス室３１７には、高濃度酸素、水蒸気、アルカリ金属水酸化物水溶液のミストが存在し、温度は９０℃前後に達するので、陰極室の構成部材には、ニッケル、ニッケル合金等が用いられている。また、弾性部材にも耐食性が優れるとともに、導電性が大きな金属材料が用いられており、ニッケル、高ニッケル合金が用いられている。
【００１６】
従来のガス拡散電極装着イオン交換膜電解槽では、陰極ガス室３１７に用いられている、ニッケル、またはニッケル合金等の耐食性が良好な金属は、高濃度の酸素の存在のもとでは、表面が酸化されて不動態被膜を形成して通電を阻害することとなり、電解槽電圧の上昇が起こる。
【００１７】
これに対して、本発明のガス拡散電極装着イオン交換膜電解槽にあっては、陰極室３０の背面板３２７には、表面に耐食性導電層３４１を形成した複数個の平板状の通電部材３４０が配置されている。
平板状の通電部材３４０は、めっき、クラッド，あるいは焼き付け被覆によって表面の特性が一様な耐食性導電層３４１が形成されているので、背面板３２７の面積が大きくなっても、部位に係わらず特性が一様な面が得られる。
その結果、ガス拡散電極３１３と背面板３２７との間の通電回路を形成する弾性部材３３０の接触面は、耐食性導電層３４１の存在によって長期間の運転においても接触抵抗の増大が起こらず、電解槽電圧の上昇を防止することが可能となる。
【００１８】
平板状の通電部材には、厚みが０．１〜１．０ｍｍの陰極室の背面板と同一のニッケル材を用いることが好ましい。また、耐食性導電層は、銀、白金族の金属によって形成することができるが、なかでも導電性の良好な銀が好ましく、めっき、クラッド，焼き付け等によって形成することができる。
耐食性導電層の厚みは、０．５μｍ以上とすることが好ましく、０．５μｍよりも薄い場合には充分な特性を得ることができない。一方、厚みが厚くなるほど耐食性等が優れたものが得られるが、５μｍ程度の厚みで充分である。
また、平板状の通電部材は、６０×５６ｍｍ〜１２２０×５００ｍｍの大きさのものとすることが好ましい。６０×５６ｍｍよりも小さな場合には、設置個数が多くなってスポット溶接個所が増加して、均一性が低下する可能性がある。一方、１２２０×５００ｍｍよりも大きくなると、めっき等によって耐食性導電層を形成する際に不均一なものが生じやすくなるので好ましくない。
【００１９】
図２は、本発明のガス拡散電極装着イオン交換膜電解槽の実施態様を説明する図であり、弾性部材と通電部材を説明する分解斜視図である。
陰極室枠体３２３の背面板３２７には、複数個の通電部材３４０が接合されている。この図の例では、１２個の通電部材３４０が配置されている。
通電部材３４０に対向して通電部材３４０に一方の面が接触し、他方の面がガス拡散電極の電解面の反対側に接触する弾性部材３３０が配置されている。
弾性部材３３０は、図２で示す例では、弾性部材枠体３３１に気体の通路を形成する中空のコイルばね状の部材からなる単位弾性部材３３３ａ，３３３ｂ，３３３ｃ，３３３ｄ，３３３ｅ，３３３ｆ，３３３ｇ，３３３ｈの８個が装着されており、ガス拡散電極を均等に押圧し、ガス拡散電極と背面板との間に均等な通電が可能となるように配置されている。
このように、複数個の単位弾性部材を用いることによって、ガス拡散電極の電解面積が大きくなっても、ガス拡散電極に加わる圧力および電流分布を均等にすることができる。  また、弾性部材３３０を形成する単位弾性体３３３ａ〜３３３ｈ、および通電部材の数は、電解面積，通電電流密度等の大きさに応じて、適宜設定することができる。
【００２０】
図３は、本発明のガス拡散電極装着イオン交換膜電解槽の実施態様を説明する図であり、通電部材を説明する図である。
陰極室の背面板３２７に装着する通電部材３４０は、図３Ａで示すように、比較的面積が大きな通電部材３４０を、接合部３４３においてスポット溶接等の方法で背面板に装着し、通電部材３４０に形成した耐食性導電層３４１をガス拡散電極側に配置したものである。
また、図３Ｂは、図３Ａに示したものに比べて、面積が小さな通電部材３４０を背面板３２７に多数装着し、それぞれ接合部３４３によって接合して表面に耐食性導電層３４１を形成したものである。
このように、小さな通電部材３４０を多数装着することによって背面板からガス拡散電極に対して長期間にわたり安定した通電が可能となる。
以下に、実施例、比較例を示して本発明を説明する。
【実施例】
【００２１】
実施例１
有効電解面積が高さ５６ｍｍ、横６０ｍｍの電解槽に、食塩水電気分解用陽極（ペルメレック電極製ＪＰ２０２Ｒ）に接してイオン交換膜（旭硝子製陽イオン交換膜Ｆ−８０２０）を配置し、イオン交換膜の陽極とは反対面には、液体保持部材として、電解面を覆う厚さ０．４ｍｍの炭素繊維布（ゾルテック社製）を積層し、更に液体保持部材上に、液体透過性ガス拡散電極（ペルメレック電極製）を積層した。
ガス拡散電極の電解面とは反対面には、線径０．１７ｍｍのニッケル線を巻径６ｍｍでコイル状にして１個を配置した。
陰極室枠体の陰極室の背面板に、縦５６ｍｍ、横６０ｍｍ，厚さ０．２ｍｍのニッケル箔（ＮＷ２２０１材）の一方の面に厚さ１０μｍの銀めっきを施した通電部材１個を、それぞれ６個所をスポット溶接して接合した。【００２２】
ガス拡散電極に電圧測定端子を取付けて、電流密度３ｋＡ／ｍ2、電解温度を８７〜８９℃、水酸化ナトリウム水溶液濃度３０〜３３質量％に維持して１７日間運転を行った。
ガス拡散電極と背面板との間の電位差、すなわち電圧降下を測定して、その結果を図４に示す。初期電圧０．００１Ｖで、１７日後も電圧上昇はなく、１７日間の運転を通し安定していた。【００２３】
実施例２
有効電解面積が、幅６２０ｍｍ、高さ１２２０ｍｍの電解槽に、食塩水電気分解用陽極（ペルメレック電極製ＪＰ２０２Ｒ）に接してイオン交換膜（旭化成ケミカルズ製陽イオン交換膜  アシプレックスＦ−４４０３）を配置し、イオン交換膜の陽極とは反対面には、液体保持部材として、電解面を覆う厚さ０．４ｍｍの炭素繊維布（ゾルテック社製）を積層し、更に液体保持部材上に、液体透過性ガス拡散電極（ペルメレック電極製）を積層した。【００２４】
ガス拡散電極の電解面とは反対面には、線径０．１７ｍｍのニッケル線を巻径６ｍｍでコイル状にして４個を配置した。
陰極室枠体の陰極室の背面板に、縦１１６０ｍｍ、横３１０ｍｍ、厚さ０．２ｍｍのニッケル箔（ＮＷ２２０１材）の一方の面に厚さ１０μｍの銀めっきを施した通電部材２個を、それぞれ１４４個所をスポット溶接して接合した。
この電解槽を用いて、電流密度３ｋＡ／ｍ2、電解温度７５〜８５℃、水酸化ナトリウム濃度３０〜３４質量％に保持して電気分解を行った。
電解槽電圧の変化を図５に示すように電圧の上昇は確認されなかった。
更に、運転を継続して５００日間の運転後、電解槽を解体したが銀めっきを施した通電部材に異常は見られなかった。【００２５】
比較例１
通電部材として、銀めっきを施さなかった点を除き実施例１と同様にして作製した電解槽を用いて実施例１と同様の条件で電気分解を行い、実施例１と同様にガス拡散電極と陰極室の背面板との間の電位差を測定した。その結果を図４に示すように運転の経過とともに電位差の増大が見られた。
また、運転停止後、電解槽を解体したところ、通電部材として使用したニッケル箔は不動態被膜の形成によって黒く変色していた。【００２６】
比較例２
通電部材を使用せずに、陰極室の背面板に中心で測定した厚み１０μｍの銀めっきを施した陰極室によって作製した電解槽を用いた点を除き実施例２と同様にして電気分解を行って、電解槽電圧の変化を測定した。
３００日間の運転で、２００ｍＶの電解槽電圧の上昇があった。また、運転停止後に電解槽を解体したところ、前記背面板の銀めっき層の弾性部材と接触する通電個所のほぼすべての部分の銀めっきが剥離し、下地のニッケル材が露出すると共に下地であるニッケル材が、不動態被膜の形成によって黒く変色していた。
【産業上の利用可能性】
【００２７】
本発明のガス拡散電極装着イオン交換膜電解槽は、ガス拡散電極に通電する弾性部材と陰極室の背面板とが接触する面には、表面に耐食性導電層を形成した複数個の通電部材を配置して通電したので、ガス拡散電極に通電する弾性部材との接触部の特性が安定しており、通電部材の表面からの耐食性導電層の剥離がなく、ガス拡散電極とは前記背面板との間の電圧降下が小さく、長期に安定した性能が得られるガス拡散電極装着イオン交換膜電解槽を提供することができる。
【符号の説明】
【００２８】
１…ガス拡散電極装着イオン交換膜電解槽、１０…イオン交換膜、２０…陽極室、３０…陰極室、２１１…陽極、２１３…陽極液、２１５…陽極液入口、２１７…陽極液及び気体出口、２１９…陽極室枠体、２２１…陽極室側ガスケット、３０１…陰極室内部空間、３１１…液体保持部材、３１３…ガス拡散電極、３１７…陰極ガス室、３１９…酸素入口、３２１…陰極ガス室出口、３２３…陰極室枠体、３２５…陰極室側ガスケット、３２７…背面板、３３０…弾性部材、３３１…弾性部材枠体、３３３ａ，３３３ｂ，３３３ｃ，３３３ｄ，３３３ｅ，３３３ｆ，３３３ｇ，３３３ｈ…単位弾性体、３４０…通電部材、３４１…耐食性導電層、３４３…接合部
【図１】
2010137284.tif 000003
【図２】
2010137284.tif 000004
【図３】
2010137284.tif 000005
【図４】
2010137284.tif 000006
【図５】
2010137284.tif 000007
【国際調査報告】
2010137284.tif 000008
2010137284.tif 000009